(57)【要約】  【課題】  着色した木粉が接着面に貼り付けられて、モザイク状画、粒状絵画、点状描画の質感をだす。  【解決手段】  水または／及び油１００重量部／１００体積部に、木材の木粉１０乃至１００重量部／５０乃至４００体積部、顔料または絵の具１乃至１００重量部／５乃至１００体積部が均一に混合され、この後、この混合物の水または油が乾燥され、顔料または絵の具の乾燥物または固形物が上記木粉に付着固定される。このような着色木粉３は複数色分製造される。接着面１は複数部分に分かれたマスクシート２で覆われ、このマスクシート２が順次剥がされるごとに、いずれかの色の着色木粉３が順次付着され、これにより複数色又は多色の色彩面、模様面または絵柄面が混じり合わないように形成される。  【選択図】図１
2006130792.tif 000002
【特許請求の範囲】
【請求項１】
木材の木粉に水または／及び油と顔料または絵の具とを均一に混合させる工程と、
この混合物の水または油を乾燥させることにより、上記顔料または絵の具の乾燥物または固形物を上記木粉に付着固定させて、当該木粉を着色させる工程と、よりなり、
この乾燥かつ着色させた木粉を接着面に付着させることにより、色彩面、模様面または絵柄面を形成するための着色木粉の製造方法。
【請求項２】
上記木粉の粒径は、０．１ミリメートル乃至５ミリメートルであることを特徴とする請求項１記載の着色木粉の製造方法。
【請求項３】
上記着色木粉は色の異なる複数種類製造され、この複数種類の着色木粉は種々の割合で混合され、これにより種々の混合色の色彩面、模様面または絵柄面が形成されることを特徴とする請求項１または２記載の着色木粉の製造方法。
【請求項４】
上記請求項１、２または３の製造方法によって製造されたことを特徴とする着色木粉。
【請求項５】
上記請求項４の着色木粉が接着面に付着されることにより形成される上記色彩面、模様面または絵柄面の製造方法。
【請求項６】
上記請求項５の色彩面、模様または絵柄の製造方法によって製造されたことを特徴とする色彩面、模様面または絵柄面。
【請求項７】
上記請求項１、２または３の製造方法によって上記着色木粉は複数色製造され、または上記請求項４の着色木粉は複数色製造され、上記接着面はマスクシートで覆われ、このマスクシートは複数部分に分かれており、これらのマスクシートは順次剥がされるごとに、いずれかの色の着色木粉が順次付着され、これにより複数色又は多色の色彩面、模様面または絵柄面が形成されることを特徴とする色彩面、模様面または絵柄面の製造方法。
【請求項８】
上記請求項７の色彩面、模様面または絵柄面の製造方法によって製造されたことを特徴とする色彩面、模様面または絵柄面。
【請求項９】
上記着色木粉は、木の香りのするもの、または悪臭を吸収分解するものであることを特徴とする請求項１、２または３記載の着色木粉の製造方法、請求項４記載の着色木粉、請求項５または７記載の色彩面、模様面または絵柄面の製造方法及び請求項６または８記載の色彩面、模様面または絵柄面。
【発明の詳細な説明】
【技術分野】
【０００１】
本発明は、着色木粉の製造方法、着色木粉、色彩面、模様面または絵柄面の製造方法及び色彩面、模様面または絵柄面に関し、大鋸屑などの木粉に着色して、乾燥かつ着色させた木粉を接着面に付着させることにより、色彩面、模様面または絵柄面を形成するものに関する。また、これらの色彩面、模様面または絵柄面は、模擬絵画、砂画、モザイク画、模型玩具、地形模型などに利用可能である。
【背景技術】
【０００２】
従来、顆粒状の絵の具としては、アラビアゴムなどの水溶性糊料、ケイソウ土などの多孔質状物質、顔料などを用い、ケイソウ土など多孔質状物質の表面に顔料を付着させ、このケイソウ土をさらにアラビアゴムなどの水溶性糊料の表面に付着させている。
【０００３】
【特許文献１】特公昭６１−５５５４２号公報
【特許文献２】特開昭５６−１２２８７３号公報
【特許文献３】特公昭６２−１５１１１号公報
【発明の開示】
【発明が解決しようとする課題】
【０００４】
上述のような顆粒状の絵の具では、アラビアゴムなどの水溶性糊料とケイソウ土などの多孔質状物質との２つの粒子の大きさの異なる素材が必要であり、必要とする材料が多かった。そこで、アラビアゴムなどの水溶性糊料を省略してもよいが、そうすると、ケイソウ土などの多孔質状物質では、粒子の大きさが小さすぎるため、モザイク画のような質感をだすことができない。
【０００５】
本発明は、上述した課題を解決するためになされたものであり、本発明の目的は、少ない材料でモザイク画のような質感を出すことのできる着色木粉の製造方法、着色木粉及び色彩面を提供することである。
【課題を解決するための手段】
【０００６】
上記目的を達成するために、本発明は、木材の木粉に水または／及び油と顔料または絵の具とを均一に混合させ、この混合物の水または油を乾燥させることにより、上記顔料または絵の具の乾燥物または固形物を上記木粉に付着固定させて、当該木粉を着色させ、この乾燥かつ着色させた木粉を接着面に付着させることにより、色彩面、模様面または絵柄面を形成するようにした。
【発明の効果】
【０００７】
これにより、木材の木粉に水または／及び油と顔料または絵の具という、少ない材料で、モザイク画の質感を出すことができる。また、大鋸屑という廃棄物を有効利用して、リサイクル品にすることができ、環境にも良い製品を提供できる。このような大鋸屑は間伐材などの木材の加工で生じる。
【発明を実施するための最良の形態】
【０００８】
（１）着色木粉の製造方法
着色木粉の製造方法は以下の通りである。重量比では、水または／及び油１００重量部に対して、木材の木粉（大鋸屑をも含む。以下同じ）１０乃至１００重量部、顔料または絵の具１乃至１００重量部混合される。また、体積比では、水または／及び油１００体積部に対して、木材の木粉５０乃至４００体積部、顔料または絵の具５乃至１００体積部混合される。
【０００９】
望ましくは、重量比では、水または／及び油１００重量部に対して、木材の木粉５０重量部、顔料または絵の具５０重量部混合される。また、体積比では、水または／及び油１００体積部に対して、木材の木粉２００体積部、顔料または絵の具５乃至２５体積部混合される。木粉は空気を多く含んでいるので、木粉の元の木の比重の２／３乃至１／４まで比重が小さくなる。
【００１０】
上記混合物は撹拌機または撹拌棒などを用いてよく撹拌され、木材の木粉に水または／及び油と顔料または絵の具とが均一に混合される。水に混合されるときは、顔料または絵の具は水性のものが用いられ、油に混合されるときは、顔料または絵の具は油性のものが用いられ、水及び油の混合液に混合されるときは、顔料または絵の具は水性若しくは油性またはこれらの混合物が用いられ、水と油との混合を均一に進めるため界面活性剤などが混合される。
【００１１】
このような混合によって、顔料または絵の具の粒子が木材の木粉の隙間に顔料または絵の具の粒子が付着して、木粉が着色される。この木粉（大鋸屑）の粒径は、０．１ｍｍ乃至５ｍｍ、場合によって０．５ｍｍ乃至２．５ｍｍである。木粉の中の隙間は、針葉樹の仮道管または広葉樹の木繊維の隙間であり、この隙間は通常１μｍ乃至５０μｍの大きさである。針葉樹は例えば杉、桧、松、樅等であり、広葉樹は柿、楓、栗、桃、楠、桐等である。
【００１２】
顔料または絵の具の粒子の大きさは、０．１μｍ乃至５０μｍ、望ましくは０．５μｍ乃至２５μｍ、より望ましくは１μｍ乃至１５μｍである。上記木粉の隙間によく付着するのは、１μｍ乃至１５μｍである。この顔料または絵の具の乾燥物または固形物の粒子が、水または油によって、上記木粉の表面に付着したり、上記隙間の中に入り込んで浸透されたりする。
【００１３】
顔料または絵の具の粒子が小さくなると、木粉の着色状態が薄くなって木の色が強くなり、粒子が大きくなると、木粉の着色状態が濃くなり木の色が弱くなる。上記混合物の水または油を乾燥させることにより、上記顔料または絵の具の乾燥物または固形物の粒子の上記木粉への付着／浸透が固定され、これにより当該木粉が着色される。大鋸屑などの木粉は顔料または絵の具が非常に付着し易い。
【００１４】
上記顔料または絵の具としては、ポスターカラー、水彩絵の具、油絵の具等が使用され、酸化チタン、亜鉛華、カーボンブラック、ハンザエローＧ、ハンザエローＧ、黄土、ハンドシエンナー、ベンガラ、レーキッド、カーミン３Ｂ、群青、フタロシアニンブルー、クロムグリーン、酸化鉄などの成分からなっている。
【００１５】
この顔料または絵の具には、有機顔料と無機顔料とがある。このような実際の製品としては、ペンテル株式会社のポスターカラーの黒Ｎｏ．２８、深緑Ｎｏ．７４、草色Ｎｏ．６３、黄緑Ｎｏ．１７、ビリジアンＮｏ．１８などの各ナンバーの付いている製品が使用される。
【００１６】
上記顔料または絵の具の色は、白、黒、灰、青、赤、黄、緑、紫、橙、これらの混合色、金色、銀色、銅色、パール色など、多数のものがある。また、このように着色された木粉のうち、色の異なるものを混ぜると、遠目にはこれらの混合色、近目には各色ごとの木粉の粒々が見える色彩／模様／絵柄を形成できる。
【００１７】
上記混合物には、場合によって、上述の界面活性剤野ほか、アルコールが場合によって混合される。界面活性剤は、カチオン系界面活性剤、アニオン系界面活性剤、ノニオン系界面活性剤、両性系界面活性剤などいずれでもよく、ポリオキシエチレナルキルエーテル、ポリオキシエチレナルキルフェノールエーテルなどのノニオン系界面活性剤が選ばれる。
【００１８】
アルコールは、第１アルコール、第２アルコール、第３アルコール、低級アルコール、高級アルコール、脂環式アルコール、芳香族アルコールなどいずれでもよく、脂肪族１価アルコール等が選ばれる。
【００１９】
上記水または油の乾燥は、自然乾燥のほか、ヒーターを用いた加熱乾燥、乾燥した空気を送り込む乾燥送風乾燥、温風を吹き込む加熱送風乾燥などがある。このような送風乾燥では、着色木粉が飛散しないように上記混合物は容器内に収納される。
【００２０】
上記油としては、油絵の具用の油、石油、石油系の溶剤などが用いられるが、揮発性の高いものが上記乾燥には最適である。しかし、引火の危険性から、引火点／発火点の高い油が使用される。
【００２１】
（２）色彩面、模様面または絵柄面の製造方法
図１以降は、色彩面、模様面または絵柄面の製造方法を示す。上記着色木粉の製造方法によって上記着色木粉３は複数色製造される。板、金属板または紙の表面に両面接着テープが接着されて、接着面１が形成される。この接着面１の上面の接着面にはマスクシート２が貼着されて覆われている。
【００２２】
このマスクシート２は複数部分に分かれており、これら複数のマスクシート２は順次剥がされる。このマスクシート２は１つ剥がされるごとに、いずれかの色の着色木粉３がその上に蒔かれ、手、馬楝、軟質ローラまたは硬質ローラなどで着色木粉３が接着面１に押さえつけられ、着色木粉３が接着面１に付着される。
【００２３】
付着されなかった残った着色木粉３は、刷毛または小型ほうきなどで取り除かれ、再びもとの同じ色の着色木粉３の容器に戻される。したがって、着色木粉３は無駄なく有効に使用される。
【００２４】
以上の操作が各色の着色木粉３…につき繰り返され、マスクシート２…が順次剥がされるごとに、いずれかの色の着色木粉３…が順次付着され、これにより複数色又は多色の色彩面（模様面または絵柄面）４が形成される。
【００２５】
既に着色木粉３が付着された接着面１には、隙間無く着色木粉３が付着されているので、別の着色木粉３がこの上に乗っても、この別の着色木粉３が付着してしまうことがない。よって、各色の着色木粉３が互いに混じり合わないようにして、複数色／多色の色彩面、模様面及び絵柄面を描いていくことができる。
【００２６】
このような着色木粉３の付着にあたって、色の異なるものを２種類以上混ぜて、接着面１に貼り付けると、遠目にはこれらの混合色、近目には各色ごとの木粉の粒々が見える色彩面／模様面／絵柄面を形成できる。例えば、緑と黄の着色黄粉を混ぜて接着面１に貼り付けると、遠目には新緑の葉の黄緑色のように見え、近目には黄と緑が混在するまだらの植物のように見える。
【００２７】
この場合、混合する各着色黄粉３の混合割合を変化させると、黄色に近い緑色から、緑色に近い黄色まで、黄色と緑色との間で変化させることができる。このことは他の色の着色木粉３の複数種類の組み合わせでも同じであり、さらに、３色以上を混合する場合でも、３つの色の間の変化、４つの色の間の変化、………、というように上記色変化を多重に変化させることができる。
【００２８】
これにより、種々の混合色の色彩面、模様面または絵柄面が形成される。このような色彩面、模様面または絵柄面は、モザイク画状、粒絵状、点描画状などとなる。そして、各色の着色木粉３が互いに混じり合わないようにして、複数色／多色の色彩面、模様面及び絵柄面を描いていくことができる。
【００２９】
（３）他の実施の形態
本発明は、上記実施例に限定されず、種々変更可能である。例えば、上記絵の具または顔料としては透明のつや出し機能のあるものでもよい。これにより、艶のある木色（薄茶色）によるモザイク状画、粒状絵、点状描画などを実現できるし、上記色のある着色木粉と混合すれば、色がついてしかも艶のある木色（薄茶色）によるモザイク状画、粒状絵、点状描画などを実現できる。
【００３０】
また、上記絵の具または顔料としては蛍光機能または燐光機能のあるものでもよい。これにより、蛍光色または燐光色のあるモザイク状画、粒状絵、点状描画などを実現できるし、上記色のある着色木粉と混合すれば、色がついてしかも蛍光色または燐光色のあるモザイク状画、粒状絵、点状描画などを実現できる。
【００３１】
さらに、接着面１は平面である必要はなく、曲面、凹凸のある面、向きの異なる複数の平面群、立体面等でもよい。このような色彩面、模様面、絵柄面、モザイク状画、粒状絵、点状描画は、模型、建物・施設の壁、天井、床、柱、窓などに描かれてもよい。
【００３２】
また、接着面１は、硬質木面、竹面、硬質金属面、硬質樹脂面、ガラス面など、硬質または非可撓性の面のほか、紙面、スポンジ面、ウレタン面、ゴム面、革面、軟質樹脂面、可撓性のある金属面、軟質木面、布面など、軟質または可撓性のある面でもよい。このような軟質または可撓性の有る面に緑色系の着色木粉を付着させると、芝生面・草面の模型・玩具を模倣できる。
【００３３】
上記着色木粉３の木粉は、桧などの木の香りのするもの、楠などの悪臭を吸収分解するもの、桐などの防虫作用のあるものであってもよい。これにより、着色木粉３、色彩面（模様面または絵柄面）４を、消臭機能を有する物として使用することができる。
【００３４】
上述の色彩面、模様面、絵柄面、モザイク状画、粒状絵画、点状描画は、玩具、模型または地図の材料としても使用できる。例えば、鉄道・車両・船舶・航空機などの乗り物玩具の周囲の草面や地面の付属施設の玩具／模型、野球場／サーカー場／ゴルフ場／遊園地／アスレチック施設などのスポーツ施設・遊技施設の芝生・グリーン・砂面・地面の玩具／模型、古城・神社・仏閣等の歴史的施設の周囲、日本庭園・西洋庭園などの庭園施設、学校・体育館等の公共施設の周囲の砂利面・花壇・苔面・砂面、家屋などの周囲の庭・庭園・花壇の玩具／模型、古墳・ダム・山小屋・別荘・山岳公園・村落・都市などの自然景観模型・地形模型・地図や地形図などである。また、本件発明の着色木粉の製造方法、着色木粉、色彩面、模様面または絵柄面の製造方法及び色彩面、模様面または絵柄面は、描画玩具としても使用可能である。
【００３５】
（４）他の発明の効果
［１］木材の木粉に水または／及び油と顔料または絵の具とを均一に混合させる工程と、  この混合物の水または油を乾燥させることにより、上記顔料または絵の具の乾燥物または固形物を上記木粉に付着固定させて、当該木粉を着色させる工程と、よりなり、  この乾燥かつ着色させた木粉を接着面に付着させることにより、色彩面、模様面または絵柄面を形成するための着色木粉の製造方法。  
【００３６】
これにより、木材の木粉に水または／及び油と顔料または絵の具という、少ない材料で、モザイク状画、粒状絵画、点状描画の質感を出すことができる。また、大鋸屑という廃棄物を有効利用して、リサイクル品にすることができ、環境にも良い製品を提供できる。
【００３７】
［２］上記木粉の粒径は、０．１ミリメートル乃至５ミリメートルであることを特徴とする請求項１記載の着色木粉の製造方法。これにより、モザイク状画、粒状絵画、点状描画の質感を出すことができる。
【００３８】
［３］上記水または／及び油１００重量部に対して、木材の木粉１０乃至１００重量部、顔料または絵の具１乃至１００重量部混合されることを特徴とする請求項１または２記載の着色木粉の製造方法。これにより、木粉に効率よくかつ強固に顔料または絵の具が付着する。
【００３９】
［４］上記水または／及び油１００体積部に対して、木材の木粉５０乃至４００体積部、顔料または絵の具５乃至１００体積部混合されることを特徴とする請求項１または２記載の着色木粉の製造方法。これにより、木粉に効率よくかつ強固に顔料または絵の具が付着する。
【００４０】
［５］上記水または／及び油には、界面活性剤または／及びアルコールがさらに混合されることを特徴とする請求項１、２、３または４記載の着色木粉の製造方法。これにより、水性または／及び油性の顔料または絵の具を木粉に効率よくかつ強固に付着させることができる。
【００４１】
［６］上記着色木粉は色の異なる複数種類製造され、この複数種類の着色木粉は種々の割合で混合され、これにより種々の混合色の色彩面、模様面または絵柄面が形成されることを特徴とする請求項１、２、３、４または５記載の着色木粉の製造方法。これにより、種々の着色木粉を混ぜたモザイク状画、粒状絵画、点状描画を提供でき、選択できる色の種類を広げることができ、遠目にはこれらの混合色、近目には各色ごとの木粉の粒々が見える色彩面／模様面／絵柄面を形成できる。
【００４２】
［７］上記請求項１、２、３、４、５または６の製造方法によって製造されたことを特徴とする着色木粉。これにより、モザイク状画、粒状絵画、点状描画の質感を出すことができる、着色木粉を提供できる。
【００４３】
［８］上記請求項７の着色木粉が接着面に付着されることにより形成される上記色彩面、模様面または絵柄面の製造方法。これにより、モザイク状画、粒状絵画、点状描画の質感を出すことができる。
【００４４】
［９］上記請求項８の色彩面、模様または絵柄の製造方法によって製造されたことを特徴とする色彩面、模様面または絵柄面。これにより、木材の木粉を使って、色彩面、模様面または絵柄面に、モザイク画の質感を出すことができる。
【００４５】
［１０］上記請求項１、２、３、４、５若しくは６の製造方法によって上記着色木粉は複数色製造され、または上記請求項６の着色木粉は複数色製造され、上記接着面はマスクシートで覆われ、このマスクシートは複数部分に分かれており、これらのマスクシートは順次剥がされるごとに、いずれかの色の着色木粉が順次付着され、これにより複数色又は多色の色彩面、模様面または絵柄面が形成されることを特徴とする色彩面、模様面または絵柄面の製造方法。これにより、各色の着色木粉３が互いに混じり合わないようにして、複数色／多色の色彩面、模様面及び絵柄面を描いていくことができる。
【００４６】
［１１］上記請求項１０の色彩面、模様面または絵柄面の製造方法によって製造されたことを特徴とする色彩面、模様面または絵柄面。これにより、モザイク状画、粒状絵画、点状描画の質感を出すことができる。
【００４７】
［１２］上記着色木粉は、木の香りのするもの、または悪臭を吸収分解するものであることを特徴とする請求項１、２、３、４または６記載の着色木粉の製造方法、請求項７記載の着色木粉、請求項８または１０記載の色彩面、模様面または絵柄面の製造方法及び請求項９または１１記載の色彩面、模様面または絵柄面。これにより、着色木粉、色彩面、模様面または絵柄面を、消臭機能を有する物として使用することができる。
【産業上の利用可能性】
【００４８】
着色した木粉が接着面に貼り付けられて、モザイク状画、粒状絵画、点状描画の質感をだす。水または／及び油１００重量部／１００体積部に、木材の木粉１０乃至１００重量部／５０乃至４００体積部、顔料または絵の具１乃至１００重量部／５乃至１００体積部が均一に混合され、この後混合物の水または油が乾燥され、顔料または絵の具の乾燥物または固形物が上記木粉に付着固定させる。このような着色木粉３は複数色分製造される。接着面１は複数部分に分かれたマスクシート２で覆われ、このマスクシート２が順次剥がされるごとに、いずれかの色の着色木粉３が順次付着され、これにより複数色又は多色の色彩面、模様面または絵柄面が混じり合わないように形成される。
【図面の簡単な説明】
【００４９】
【図１】この発明の一実施の形態に係る接着面１及び色彩面（模様面または絵柄面）４の外観斜視図である。
【符号の説明】
【００５０】
１…接着面、２…マスクシール、３…着色木粉、
４…色彩面（模様面または絵柄面）。
【図１】
2006130792.tif 000003